(57)【要約】【課題】実装スペースの増大を抑制しつつ、複数のアンテナを用いることが可能なアンテナスイッチモジュールを提供する。【解決手段】  複数の絶縁層と複数の導体層とを交互に積層してなる多層基板に形成されるアンテナスイッチモジュールである。前記多層基板の端子面上に設けられ、通過帯域が異なるアンテナのそれぞれに接続される複数のアンテナ端子と、前記複数のアンテナ端子に接続される混合／分波回路と、を備える。【選択図】図１
2008124790.tif 000002
【特許請求の範囲】
【請求項１】
複数の絶縁層と複数の導体層とを交互に積層してなる多層基板に形成されるアンテナスイッチモジュールであって、
前記多層基板の端子面上に設けられ、通過帯域が異なるアンテナのそれぞれに接続される複数のアンテナ端子と、
前記複数のアンテナ端子に接続される混合／分波回路と、
を備えることを特徴とするアンテナスイッチモジュール。
【請求項２】
請求項１に記載のアンテナスイッチモジュールにおいて、
前記端子面上に設けられ、前記混合／分波回路に接続される第１のコネクタ端子を備えることを特徴とするアンテナスイッチモジュール。
【請求項３】
請求項１または請求項２に記載のアンテナスイッチモジュールにおいて、
前記端子面上に設けられる第２のコネクタ端子と、
前記第２のコネクタ端子に接続されるとともに、異なる複数の通信システムのそれぞれに対応する送信回路および受信回路と前記第２のコネクタ端子との間における信号経路を切り換える送受信スイッチ回路と、
をさらに備えることを特徴とするアンテナスイッチモジュール。
【請求項４】
複数の絶縁層と複数の導体層とを交互に積層してなる多層基板に形成されるアンテナスイッチモジュールであって、
前記多層基板の端子面上に設けられ、通過帯域が異なるアンテナのそれぞれに接続される複数のアンテナ端子と、
前記複数のアンテナ端子に接続される第１の切り換え回路と、
を備えることを特徴とするアンテナスイッチモジュール。
【請求項５】
請求項４に記載のアンテナスイッチモジュールにおいて、
前記端子面上に設けられ、前記第１の切り換え回路に接続される第１のコネクタ端子を備えることを特徴とするアンテナスイッチモジュール。
【請求項６】
請求項４または請求項５に記載のアンテナスイッチモジュールにおいて、
前記端子面上に設けられる第２のコネクタ端子と、
前記第２のコネクタ端子に接続されるとともに、異なる複数の通信システムのそれぞれに対応する送信回路および受信回路と前記第２のコネクタ端子との間における信号経路を切り換える送受信スイッチ回路と、
をさらに備えることを特徴とするアンテナスイッチモジュール。
【請求項７】
請求項３または請求項６に記載のアンテナスイッチモジュールにおいて、
前記第１と第２のコネクタ端子は、前記端子面上で隣接配置されるか、または、グランド端子を間に挟んで配置されることを特徴とするアンテナスイッチモジュール。
【請求項８】
請求項３または請求項６に記載のアンテナスイッチモジュールにおいて、
少なくとも１つの前記アンテナ端子と少なくとも１つの前記コネクタ端子とは、前記端子面上で隣接配置されるか、または、グランド端子を間に挟んで配置されることを特徴とするアンテナスイッチモジュール。
【請求項９】
請求項１ないし請求項６のいずれかに記載のアンテナスイッチモジュールにおいて、
前記複数のアンテナ端子は、前記端子面上に並んで配置されており、
前記アンテナ端子同士は、隣接配置されるか、または、グランド端子を間に挟んで配置されることを特徴とするアンテナスイッチモジュール。
【請求項１０】
請求項１ないし請求項６のいずれかに記載のアンテナスイッチモジュールにおいて、
前記複数の端子には複数の受信信号出力端子が含まれており、
前記複数の受信信号出力端子は、前記端子面上に並んで配置されており、
前記受信信号出力端子同士は、隣接配置されるか、または、グランド端子を間に挟んで配置されることを特徴とするアンテナスイッチモジュール。
【請求項１１】
請求項１０に記載のアンテナスイッチモジュールにおいて、
前記受信信号出力端子同士は全て隣接配置されることを特徴とするアンテナスイッチモジュール。
【請求項１２】
請求項１ないし請求項６のいずれかに記載のアンテナスイッチモジュールにおいて、
前記複数の端子には複数の受信信号出力端子が含まれており、
前記受信信号出力端子と前記コネクタ端子とが並んで配置される場合には、前記受信信号出力端子と前記コネクタ端子との間にグランド端子が配置されることを特徴とするアンテナスイッチモジュール。
【請求項１３】
請求項１ないし請求項６のいずれかに記載のアンテナスイッチモジュールにおいて、
前記複数の端子には複数の受信信号出力端子が含まれており、
前記受信信号出力端子と前記アンテナ端子とが並んで配置される場合には、前記受信信号出力端子と前記アンテナ端子との間にグランド端子が配置されることを特徴とするアンテナスイッチモジュール。
【請求項１４】
請求項１ないし請求項６のいずれかに記載のアンテナスイッチモジュールにおいて、
前記複数の端子には複数の送信信号入力端子が含まれており、
前記複数の送信信号入力端子は、前記端子面上に並んで配置されており、
前記送信信号入力端子同士は、隣接配置されるか、または、グランド端子を間に挟んで配置されることを特徴とするアンテナスイッチモジュール。
【請求項１５】
請求項１ないし請求項６のいずれかに記載のアンテナスイッチモジュールにおいて、
前記複数の端子には複数の送信信号入力端子が含まれており、
前記送信信号入力端子と前記コネクタ端子とが並んで配置される場合には、前記送信信号入力端子と前記コネクタ端子との間にグランド端子が配置されることを特徴とするアンテナスイッチモジュール。
【請求項１６】
請求項１ないし請求項６のいずれかに記載のアンテナスイッチモジュールにおいて、
前記複数の端子には複数の送信信号入力端子が含まれており、
前記送信信号入力端子と前記アンテナ端子とが並んで配置される場合には、前記送信信号入力端子と前記アンテナ端子との間にグランド端子が配置されることを特徴とするアンテナスイッチモジュール。
【請求項１７】
請求項１ないし請求項６のいずれかに記載のアンテナスイッチモジュールであって、
前記複数の端子には複数の送信信号入力端子および複数の受信信号出力端子が含まれており、
前記送信信号入力端子と前記受信信号出力端子とが並んで配置される場合には、前記送信信号入力端子と前記受信信号出力端子との間にグランド端子が配置されることを特徴とするアンテナスイッチモジュール。
【発明の詳細な説明】
【技術分野】
【０００１】
本発明は、例えば、携帯電話機などに用いられ、周波数帯域の異なる複数の送信信号及び受信信号を切り換えるためのアンテナスイッチモジュールに関するものである。
【背景技術】
【０００２】
アンテナスイッチモジュールとしては、例えば、下記の特許文献１に記載の例のように、アンテナ端子に接続され、少なくとも受信信号を低周波数帯域と高周波数帯域に分波する第１分波回路と、その第１分波回路に接続され、受信信号と送信信号とを切り換えるとともに、受信信号をさらに細かい周波数帯域に分波する複数のスイッチング回路と、を備えているものが知られている。
【０００３】
上記した従来のアンテナスイッチモジュールでは、共通のアンテナで、低周波数帯域から高周波数帯域までの広帯域に亘る複数の周波数帯域の全てにおける信号の送受信を行うこととなる。
【０００４】
しかしながら、共通のアンテナで、上記したような広帯域に亘る複数の通信システムの全ての信号の送信および受信を、損失なく行わせることは難しく、この損失を補うためには信号出力を大きくする必要があった。また、上記従来のアンテナスイッチモジュールでは、共通のアンテナで受信する信号を、第１分波回路で低周波数側の信号と高周波数側の信号とに分波してはいるものの、あくまでも、共通のアンテナで受信する広帯域の信号を電気回路で分波しているにすぎず、低周波数側の信号と高周波数側の信号とのアイソレーションが不十分となる場合もある。
【０００５】
そこで、上記問題点を解決する方法として、アンテナを複数設けることが考えられるが、アンテナを複数設けた場合には、以下で説明する問題が発生する。
【０００６】
例えば携帯電話機では、携帯電話機の検査や性能評価をするために、アンテナから信号を受信したりアンテナから信号を送信する代わりに、実装基板上に設けられたＲＦコネクタから受信信号を入力させたり、送信信号を出力させたりする。
【０００７】
このため、上記問題を解決するために複数のアンテナを設ける場合には、単純には設けたアンテナの数に応じた数のＲＦコネクタを実装基板上に設けることになるため、実装スペースが大きくなってしまう、という問題がある。
【０００８】
【特許文献１】特開２０００−１６５２７４号公報
【発明の開示】
【発明が解決しようとする課題】
【０００９】
従って、本発明の目的は、上記した従来技術の問題点を解決し、実装スペースの増大を抑制しつつ、複数のアンテナを用いることが可能なアンテナスイッチモジュールを提供することにある。
【課題を解決するための手段】
【００１０】
上記した目的の少なくとも一部を達成するために、本発明の第１のアンテナスイッチモジュールは、複数の絶縁層と複数の導体層とを交互に積層してなる多層基板に形成されるアンテナスイッチモジュールであって、
前記多層基板の端子面上に設けられ、通過帯域が異なるアンテナのそれぞれに接続される複数のアンテナ端子と、
前記複数のアンテナ端子に接続される混合／分波回路と、
を備えることを特徴とする。
【００１１】
上記構成の第１のアンテナスイッチモジュールによれば、従来のように広帯域に亘る複数の通信システム全ての信号を共通のアンテナで送信および受信するのではなく、複数のアンテナのうち、それぞれの通信システムの送信および受信する信号の周波数帯域に対応する通過帯域を有するアンテナを用いて送信および受信することができる。これにより、従来のように共通のアンテナを用いていた場合に比べて、アンテナにおける損失を低減し、ひいては低電力化を図ることができるとともに、送信および受信される複数の周波数帯域の信号のアイソレーションを向上させることが可能である。
【００１２】
本発明の第１のアンテナスイッチモジュールにおいて、
前記端子面上に設けられ、前記混合／分波回路に接続される第１のコネクタ端子を備えることが好ましい。
【００１３】
上記構成の第１のアンテナスイッチモジュールによれば、複数のアンテナに対して、第１のコネクタ端子に対して、所定のコネクタ、例えば、ＲＦコネクタを１つ接続することにより、複数のアンテナに対応し、使用する通信システムの受信信号あるいは送信信号と同じ周波数帯域の検査信号を１つのコネクタから入力あるいは出力することができるので、実装スペースの増大を抑制しつつ、複数のアンテナを用いることが可能なアンテナスイッチモジュールを提供することができる。
【００１４】
また、本発明の第１のアンテナスイッチモジュールにおいて、
前記端子面上に設けられる第２のコネクタ端子と、
前記第２のコネクタ端子に接続されるとともに、異なる複数の通信システムのそれぞれに対応する送信回路および受信回路と前記第２のコネクタ端子との間における信号経路を切り換える送受信スイッチ回路と、
をさらに備えることが好ましい。
【００１５】
上記構成の第１のアンテナスイッチモジュールによれば、第１のコネクタ端子および第２のコネクタ端子に所定のコネクタ、例えば、ＲＦコネクタを接続することにより、混合／分波回路から第１のコネクタ端子を介して出力される受信信号を、第２のコネクタ端子を介して切り換え回路に入力することができ、切り換え回路から第２のコネクタ端子を介して出力される送信信号を、第１のコネクタ端子を介して混合／分波回路に入力することができる。
【００１６】
本発明の第２のアンテナスイッチモジュールは、複数の絶縁層と複数の導体層とを交互に積層してなる多層基板に形成されるアンテナスイッチモジュールであって、
前記多層基板の端子面上に設けられ、通過帯域が異なるアンテナのそれぞれに接続される複数のアンテナ端子と、
前記複数のアンテナ端子に接続される第１の切り換え回路と、
を備えることを特徴とする。
【００１７】
上記構成の第２のアンテナスイッチモジュールにおいても、従来のように広帯域に亘る複数の通信システム全ての信号を共通のアンテナで送信および受信するのではなく、複数のアンテナのうち、それぞれの通信システムの送信および受信する信号の周波数帯域に対応する通過帯域を有するアンテナを用いて送信および受信することができる。これにより、従来のように共通のアンテナを用いていた場合に比べて、アンテナにおける損失を低減し、ひいては低電力化を図ることができるとともに、１つ送信および受信される複数の周波数帯域の信号のアイソレーションを向上させることが可能である。
【００１８】
本発明の第２のアンテナスイッチモジュールにおいて、
前記端子面上に設けられ、前記第１の切り換え回路に接続される第１のコネクタ端子を備えることが好ましい。
【００１９】
上記構成の第２のアンテナスイッチモジュールにおいても、複数のアンテナに対して、第１のコネクタ端子に対して、所定のコネクタ、例えば、ＲＦコネクタを１つ接続することにより、複数のアンテナに対応し、使用する通信システムの受信信号あるいは送信信号と同じ周波数帯域の検査信号を１つのコネクタから入力あるいは出力することができるので、実装スペースの増大を抑制しつつ、複数のアンテナを用いることが可能なアンテナスイッチモジュールを提供することができる。
【００２０】
また、本発明の第２のアンテナスイッチモジュールにおいて、
前記端子面上に設けられる第２のコネクタ端子と、
前記第２のコネクタ端子に接続されるとともに、異なる複数の通信システムのそれぞれに対応する送信回路および受信回路と前記第２のコネクタ端子との間における信号経路を切り換える送受信スイッチ回路と、
をさらに備えることが好ましい。
【００２１】
上記構成の第２のアンテナスイッチモジュールにおいても、第１のコネクタ端子および第２のコネクタ端子に所定のコネクタ、例えば、ＲＦコネクタを接続することにより、第１の切り換え回路から第１のコネクタ端子を介して出力される受信信号を、第２のコネクタ端子を介して第２の切り換え回路に入力することができ、第２の切り換え回路から第２のコネクタ端子を介して出力される送信信号を、第１のコネクタ端子を介して第１の切り換え回路に入力することができる。
【００２２】
本発明の第１または第２のアンテナスイッチモジュールにおいて、
前記第１と第２のコネクタ端子は、前記端子面上で隣接配置されるか、または、グランド端子を間に挟んで配置されることが好ましい。
【００２３】
このように第１と第２のコネクタ端子同士が隣接配置されることによって、部品の配置や配線レイアウトに都合が良い。また、コネクタ端子同士がグランド端子を間に挟んで配置されることによって、コネクタ端子間における信号の漏れを抑制させることができるので、アンテナスイッチモジュールの性能を向上させることができる。
【００２４】
また、本発明の第１または第２のアンテナスイッチモジュールにおいて、
少なくとも１つの前記アンテナ端子と少なくとも１つの前記コネクタ端子とは、前記端子面上で隣接配置されるか、または、グランド端子を間に挟んで配置されることが好ましい。
【００２５】
このようにアンテナ端子とコネクタ端子とが隣接配置されることによって、アンテナスイッチモジュールに接続される部品の配置や両者間を接続する配線のレイアウトに都合が良い。
【００２６】
本発明の第１または第２のアンテナスイッチモジュールにおいて、
前記複数のアンテナ端子は、前記端子面上に並んで配置されており、
前記アンテナ端子同士は、隣接配置されるか、または、グランド端子を間に挟んで配置されることが好ましい。
【００２７】
このように複数のアンテナ端子が端子面上に順に並べて配置され、アンテナ端子同士が隣接配置されることによって、アンテナの配置やアンテナとアンテナスイッチモジュールとの間を接続する配線のレイアウトに都合が良い。また、アンテナ端子から他の端子への信号の漏れを抑制させることができるので、アンテナスイッチモジュールの性能を向上させることができる。さらに、また、アンテナ端子同士がグランド端子を間に挟んで配置されることによって、アンテナ端子間における信号の漏れを抑制させることができるので、アンテナスイッチモジュールの性能を向上させることができる。
【００２８】
本発明の第１または第２のアンテナスイッチモジュールにおいて、
前記複数の端子には複数の受信信号出力端子が含まれており、
前記複数の受信信号出力端子は、前記端子面上に並んで配置されており、
前記受信信号出力端子同士は、隣接配置されるか、または、グランド端子を間に挟んで配置されることも好ましい。
【００２９】
また、前記受信信号出力端子同士は全て隣接配置されることも好ましい。
【００３０】
このように、複数の受信信号出力端子が端子面上に並んで配置され、特に、受信端子同士が全て隣接配置されることには、アンテナスイッチモジュールに接続される部品の配置や両者間を接続する配線のレイアウトに都合が良い。また、受信信号出力端子から他の端子への信号の漏れを抑制させることができるので、アンテナスイッチモジュールの性能を向上させることができる。また、受信信号出力端子同士がグランド端子を間に挟んで配置されることによって、受信信号出力端子間における信号の漏れを抑制させることができるので、アンテナスイッチモジュールの性能を向上させることができる。
【００３１】
本発明の第１または第２のアンテナスイッチモジュールにおいて、
前記複数の端子には複数の受信信号出力端子が含まれており、
前記受信信号出力端子と前記コネクタ端子とが並んで配置される場合には、前記受信信号出力端子と前記コネクタ端子との間にグランド端子が配置されることが好ましい。
【００３２】
受信信号出力端子とコネクタ端子とがグランド端子を間に挟んで配置されることによって、端子間における信号の漏れを抑制させることができるので、アンテナスイッチモジュールの性能を向上させることができる。
【００３３】
また、本発明の第１または第２のアンテナスイッチモジュールにおいて、
前記複数の端子には複数の受信信号出力端子が含まれており、
前記受信信号出力端子と前記アンテナ端子とが並んで配置される場合には、前記受信信号出力端子と前記アンテナ端子との間にグランド端子が配置されることが好ましい。
【００３４】
受信信号出力端子とアンテナ端子とがグランド端子を間に挟んで配置されることによって、端子間における信号の漏れを抑制させることができるので、アンテナスイッチモジュールの性能を向上させることができる。
【００３５】
本発明の第１または第２のアンテナスイッチモジュールにおいて、
前記複数の端子には複数の送信信号入力端子が含まれており、
前記複数の送信信号入力端子は、前記端子面上に並んで配置されており、
前記送信信号入力端子同士は、隣接配置されるか、または、グランド端子を間に挟んで配置されることが好ましい。
【００３６】
このように複数の送信信号入力端子が、端子面上に並んで配置されることは、アンテナスイッチモジュールに接続される部品の配置や両者間を接続する配線のレイアウトに都合が良い。また、送信信号入力端子から他の端子への信号の漏れを抑制させることができるので、アンテナスイッチモジュールの性能を向上させることができる。また、送信信号入力端子同士がグランド端子を間に挟んで配置されることにより、送信信号入力端子間における信号の漏れを抑制させることができるので、アンテナスイッチモジュールの性能を向上させることができる。
【００３７】
本発明の第１または第２のアンテナスイッチモジュールにおいて、
前記複数の端子には複数の送信信号入力端子が含まれており、
前記送信信号入力端子と前記コネクタ端子とが並んで配置される場合には、前記送信信号入力端子と前記コネクタ端子との間にグランド端子が配置されることが好ましい。
【００３８】
このように、コネクタ端子と送信信号入力端子とが並んで配置される場合において、コネクタ端子と送信信号入力端子との間にグランド端子を配置することによって、コネクタ端子と送信入力端子との間における信号の漏れを抑制させることができるので、アンテナスイッチモジュールの性能を向上させることができる。
【００３９】
また、本発明の第１または第２のアンテナスイッチモジュールにおいて、
前記複数の端子には複数の送信信号入力端子が含まれており、
前記アンテナ端子と前記送信信号入力端子とが並んで配置される場合には、前記アンテナ端子と前記送信信号入力端子との間にグランド端子が配置されることも好ましい。
【００４０】
このように、アンテナ端子と送信信号入力端子とが並んで配置される場合において、アンテナ端子と送信信号入力端子との間にグランド端子を配置することによって、アンテナ端子と送信入力端子との間における信号の漏れを抑制させることができるので、アンテナスイッチモジュールの性能を向上させることができる。
【００４１】
本発明の第１または第２のアンテナスイッチモジュールにおいて、
前記複数の端子には複数の送信信号入力端子および複数の受信信号入力端子が含まれており、
前記送信信号入力端子と前記受信信号出力端子とが並んで配置される場合には、前記送信信号入力端子と前記受信信号出力端子との間にグランド端子が配置されることも好ましい。
【００４２】
このように、送信信号入力端子と受信信号出力端子とが並んで配置される場合において、送信信号入力端子と受信信号出力端子との間にグランド端子を配置することによって、送信信号入力端子から受信信号出力端子への信号の漏れを抑制させることができるので、アンテナスイッチモジュールの性能を向上させることができる。
【００４３】
なお、本発明は、上記したアンテナスイッチモジュールの態様に限ることなく、アンテナスイッチ装置の態様で実現することも可能である。
【発明を実施するための最良の形態】
【００４４】
以下、本発明の実施の形態を実施例に基づいて以下の順序で説明する。
Ａ．第１実施例：
Ｂ．第２実施例：
Ｃ．変形例：
【００４５】
Ａ．第１実施例：
図１は本発明の第１の実施例としてのアンテナスイッチモジュールの回路図であり、図２は図１のアンテナスイッチモジュールの外観を示す斜視図である。
【００４６】
図１に示すように、本実施例のアンテナスイッチモジュール１００Ａは、低周波数帯域用のアンテナ端子ＡＮＴ／Ｌｏ、高周波数帯域用のアンテナ端子ＡＮＴ／Ｈｉ、および第１のＲＦコネクタ接続端子ＲＦＣ１、に接続される第１の混合／分波回路１０２と、第２のＲＦコネクタ接続端子ＲＦＣ２に接続される第２の混合／分波回路１０４と、第２の混合／分波回路１０４にそれぞれ接続される送受信スイッチ回路１０６，１０８と、送受信スイッチ回路１０６にそれぞれ接続される分波回路１１０およびローパスフィルタ１１２と、送受信スイッチ回路１０８にそれぞれ接続される分波回路１１４およびローパスフィルタ１１６と、を備えている。低周波数帯域用のアンテナ端子ＡＮＴ／Ｌｏは図示しない低周波数帯域用のアンテナに接続され、高周波数帯域用のアンテナ端子ＡＮＴ／Ｈｉは図示しない高周波数帯域用のアンテナに接続される。また、第１のＲＦコネクタ接続端子ＲＦＣ１はＲＦコネクタの図示しない２つの端子の一方に接続され、第２のＲＦコネクタ接続端子ＲＦＣ２はＲＦコネクタの図示しない２つの端子の他方に接続される。なお、第１のＲＦコネクタ接続端子ＲＦＣ１が請求項における第１のコネクタ端子に相当し、第２のＲＦコネクタ接続端子ＲＦＣ２が請求項における第２のコネクタ端子に相当する。
【００４７】
図２に示すように、このアンテナスイッチモジュール１００Ａは、絶縁層であるセラミックと導体層とで構成される多層基板９２から成る積層体９４を備え、多層基板９２（積層体９４）上に金属製のキャップ９８が取り付けられる。上記各回路をそれぞれ構成する素子のうち、一部の素子は、表層（実装面）にチップ部品９６として実装され、残りの素子は、導体層として積層体９４内に内装される。また、アンテナ端子、送信信号入力端子、受信信号出力端子、コントロール端子、および、ＲＦコネクタ接続端子は積層体の裏層（端子面）に形成されている（図示しない）。
【００４８】
このアンテナスイッチモジュール１００Ａは、携帯電話に搭載されるアンテナスイッチ装置であって、低周波数帯域に区分されるＧＳＭ８５０，ＧＳＭ９００と高周波数帯域に区分されるＤＣＳ，ＰＣＳの４つの通信システムに対応している。各通信システムの送信信号及び受信信号の周波数帯域は、表１に示すとおりである。
【表１】
2008124790.tif 000003
【００４９】
図１において、低周波数帯域用のアンテナ端子ＡＮＴ／Ｌｏは、低周波数帯域用のアンテナ（図示せず）からの受信信号を入力すると共に、送信信号をアンテナに対して出力する。また、高周波数帯域用のアンテナ端子ＡＮＴ／Ｈｉは、高周波数帯域用のアンテナ（図示せず）からの受信信号を入力すると共に、送信信号をアンテナに対して出力する。
【００５０】
第１の混合／分波回路１０２は、低い周波数信号（ＧＳＭ８５０，ＧＳＭ９００の信号）を通過させるローパスフィルタ１０２ａと、高い周波数信号（ＤＣＳ，ＰＣＳの信号）を通過させるハイパスフィルタ１０２ｂと、で構成されている。低い周波数信号（ＧＳＭ８５０，ＧＳＭ９００の信号）を送信または受信するときは、信号はローパスフィルタ１０２ａを通過し、分岐点１０２ｃからハイパスフィルタ１０２ｂ側は低い周波数信号に対して良好なアイソレーションが得られているため、信号がハイパスフィルタ１０２ｂ側に漏れることはない。また、高い周波数信号（ＤＣＳ，ＰＣＳの信号）を送信または受信するときは、信号はハイパスフィルタ１０２ｂを通過し、分岐点１０２ｃからローパスフィルタ１０２ａ側は高い周波数に対して良好なアイソレーションが得られており、信号がローパスフィルタ１０２ａ側に漏れることはない。すなわち、第１の混合／分波回路１０２は、信号を送信する時は、低い周波数の信号と高い周波数の信号を分波する機能を有している。一方、第１の混合／分波回路１０２は、信号を受信する時は、ローバスフィルタ１０２ａを通過した低い周波数の信号とハイパスフィルタ１０２ｂを通過した高い周波数の信号を、分岐点１０２ｃで混合する機能を有している。
【００５１】
ＲＦコネクタは、図示しないコネクタ端子にケーブルが接続されている場合には、第１のＲＦコネクタ接続端子ＲＦＣ１と第２のＲＦコネクタ接続端子ＲＦＣ２とが非導通となり、コネクタ端子にケーブルが接続されていない場合には導通となるコネクタである。通常動作状態ではＲＦコネクタがない場合と等価な状態となる。
【００５２】
第２の混合／分波回路１０４は、第１の混合／分波回路１０２と同様に、低い周波数信号（ＧＳＭ８５０，ＧＳＭ９００の信号）を通過させるローパスフィルタ１０４ａと、高い周波数信号（ＤＣＳ，ＰＣＳの信号）を通過させるハイパスフィルタ１０４ｂと、で構成されている。第２の混合／分波回路１０４は単にダイプレクサ（分波回路）とも言う。低い周波数信号（ＧＳＭ８５０，ＧＳＭ９００の信号）を送信または受信するときは、信号はローパスフィルタ１０４ａを通過し、分岐点１０４ｃからハイパスフィルタ１０４ｂ側は低い周波数信号に対して良好なアイソレーションが得られているため、信号がハイパスフィルタ１０２ｂ側に漏れることはない。また、高い周波数信号（ＤＣＳ，ＰＣＳの信号）を送信または受信するときは、信号はハイパスフィルタ１０４ｂを通過し、分岐点１０４ｃからローパスフィルタ１０４ａ側は高い周波数に対して良好なアイソレーションが得られており、信号がローパスフィルタ１０４ａ側に漏れることはない。すなわち、第２の混合／分波回路１０２は、信号を受信する時は、低い周波数の信号と高い周波数の信号を分波する機能を有している。一方、第１の混合／分波回路１０２は、信号を送信する時は、ローバスフィルタ１０２ａを通過した低い周波数の信号とハイパスフィルタ１０２ｂを通過した高い周波数の信号を、分岐点１０２ｃで分波する機能を有している。
【００５３】
送受信スイッチ回路１０６は、ＧＳＭ８５０の受信信号及びＧＳＭ９００の受信信号もしくはＧＳＭ８５０の送信信号及びＧＳＭ９００の送信信号とＲＦＣ２との間の信号経路を切り換える回路である。コントロール端子ＶＣ１に直流電圧を印加していない場合には、送受信スイッチ回路１０６内の２つのダイオード１０６ａ，１０６ｂがそれぞれオフ状態となっているため、ローパスフィルタ１１２が実効的に開放状態となる。これにより、アンテナから第１の混合／分波回路１０２および第２の混合／分波回路１０４を介して得られる低い周波数の受信信号（ＧＳＭ８５０，ＧＳＭ９００の受信信号）は、送受信スイッチ回路１０６によって分波回路１１０に送られる。また、コントロール端子ＶＣ１に直流電圧を印加した場合には、送受信スイッチ回路１０６内の２つのダイオード１０６ａ，１０６ｂがそれぞれオン状態となることにより、分波回路１１０が実効的に開放状態となる。これにより、送信信号入力端子ＴＸ＿１／ＧＳＭ８５０／９００からローパスフィルタ１１２を介して入力される低い周波数の送信信号（ＧＳＭ８５０，ＧＳＭ９００の送信信号）は、送受信スイッチ回路１０６によって、第１の混合／分波回路１０２および第２の混合／分波回路１０４を介して低周波数帯域用のアンテナに送られる。なお、ローパスフィルタ１１２は、ＧＳＭ８５０，ＧＭ９００の周波数帯域の信号を通過させ、それ以上の周波数帯域の信号については阻止するフィルタである。
【００５４】
送受信スイッチ回路１０８は、ＤＣＳの受信信号及びＰＣＳの受信信号もしくはＤＣＳの送信信号及びＰＣＳの送信信号とＲＦＣ２との間の信号経路を切り換えるための切り換え回路である。コントロール端子ＶＣ２に直流電圧を印加していない場合には、送受信スイッチ回路１０８内の２つのダイオード１０８ａ，１０８ｂがそれぞれオフ状態となっているため、ローパスフィルタ１１６が実効的に開放状態となる。これによりアンテナから第１の混合／分波回路１０２および第２の混合／分波回路１０４を介して得られる高い周波数の受信信号（ＤＣＳ，ＰＣＳの受信信号）は、送受信スイッチ回路１０８によって分波回路１１４に送られる。また、コントロール端子ＶＣ２に直流電圧を印加した場合には、送受信スイッチ回路１０８内の２つのダイオード１０８ａ，１０８ｂがそれぞれオン状態となることにより、分波回路１１４が実効的に開放状態となる。これにより、送信信号入力端子ＴＸ＿２／ＤＣＳ／ＰＣＳからローパスフィルタ１１６を介して入力される高い周波数の送信信号（ＤＣＳ，ＰＣＳの送信信号）は、送受信スイッチ回路１０８によって、第１の混合／分波回路１０２および第２の混合／分波回路１０４を介して高周波数帯域用のアンテナに送られる。なお、ローパスフィルタ１１６は、ＤＣＳ，ＰＣＳの周波数帯域の信号を通過させ、それ以上および以下の周波数帯域の信号については阻止するフィルタである。
【００５５】
分波回路１１０は、１つの整合回路１１０ａと、２つのＳＡＷフィルタ１１０ｃ，１１０ｄと、を備えている。この分波回路１１０は、送受信スイッチ回路１０６からの信号線は、整合回路１１０ａに接続され、その整合回路１１０ａからの信号線が、分岐点１１０ｂで２分岐されて、各々、ＳＡＷフィルタ１１０ｃ，１１０ｄに接続されている。ＳＡＷフィルタ１１０ｃからの１組の信号線は１組の受信信号出力端子ＲＸ＿１／ＧＳＭ８５０に接続され、ＳＡＷフィルタ１１０ｄからの１組の信号線は１組の受信信号出力端子ＲＸ＿２／ＧＳＭ９００に接続されている。
【００５６】
従って、前述したとおり、送受信スイッチ回路１０６において、コントロール端子ＶＣ１に直流電圧を印加していない場合に、低周波数帯域用のアンテナから第１の混合／分波回路１０２および第２の混合／分波回路１０４を介して得られる低い周波数の受信信号（ＧＳＭ８５０，ＧＳＭ９００の受信信号）が、送受信スイッチ回路１０６によって分波回路１１０に送られると、その受信信号は、整合回路１１０ａを介した後、分岐点１１０ｄで２分岐されて、ＳＡＷフィルタ１１０ｃ，１１０ｄにそれぞれ入力される。整合回路１１０ａでは、ＧＳＭ８５０，ＧＳＭ９００の受信信号について、信号漏れが少なくなるように、インピーダンス整合を行っている。
【００５７】
ＳＡＷフィルタ１１０ｃは、ＧＳＭ８５０の受信信号の周波数帯域を通過帯域とするフィルタであり、ＧＳＭ８５０，ＧＳＭ９００の受信信号のうち、ＧＳＭ８５０の受信信号のみを通過させ、受信信号出力端子ＲＸ＿１／ＧＳＭ８５０より出力させる。また、ＳＡＷフィルタ１１０ｄは、ＧＳＭ９００の受信信号の周波数帯域を通過帯域とするフィルタであり、ＧＳＭ８５０，ＧＳＭ９００の受信信号のうち、ＧＳＭ９００の受信信号のみを通過させ、受信信号出力端子ＲＸ＿２／ＧＳＭ９００より出力させる。
【００５８】
同様に、分波回路１１４は、１つの整合回路１１４ａと、２つのＳＡＷフィルタ１１４ｃ，１１４ｄと、を備えている。この分波回路１１４は、送受信スイッチ回路１０８からの信号線が整合回路１１４ａに接続され、その整合回路１１４ａからの信号線が分岐点１１０ｂで２分岐されて、各々、ＳＡＷフィルタ１１４ｃ，１１４ｄに接続されている。ＳＡＷフィルタ１１４ｃからの１組の信号線は１組の受信信号出力端子ＲＸ＿３／ＤＣＳに接続され、ＳＡＷフィルタ１１４ｄからの１組の信号線は１組の受信信号出力端子ＲＸ＿４／ＰＣＳに接続されている。
【００５９】
従って、前述したとおり、送受信スイッチ回路１０８において、コントロール端子ＶＣ２に直流電圧を印加していない場合に、高周波帯域用のアンテナから第１の混合／分波回路１０２および第２の混合／分波回路１０４を介して得られる高い周波数の受信信号（ＤＣＳ，ＰＣＳの受信信号）が、送受信スイッチ回路１０８によって分波回路１１４に送られると、その受信信号は、整合回路１１４ａを介した後、分岐点１１４ｂで２分岐されて、ＳＡＷフィルタ１１４ｃ，１１４ｄにそれぞれ入力される。整合回路１１４ａでは、ＤＣＳ，ＰＣＳの受信信号について、信号漏れが少なくなるように、インピーダンス整合を行っている。
【００６０】
ＳＡＷフィルタ１１４ｃは、ＤＣＳの受信信号の周波数帯域を通過帯域とするフィルタであり、ＤＣＳ，ＰＣＳの受信信号のうち、ＤＣＳの受信信号のみを通過させ、受信信号出力端子ＲＸ＿３／ＤＣＳより出力させる。また、ＳＡＷフィルタ１１４ｄは、ＰＣＳの受信信号の周波数帯域を通過帯域とするフィルタであり、ＤＣＳ，ＰＣＳの受信信号のうち、ＰＣＳの受信信号のみを通過させ、受信信号出力端子ＲＸ＿４／ＰＣＳより出力させる。
【００６１】
なお、送受信スイッチ回路１０６の２つのダイオード１０６ａ，１０６ｂや送受信スイッチ回路１０８の２つのダイオード１０８ａ，１０８ｂとしては、ＰＩＮダイオード等の種々のダイオードを用いることができる。
【００６２】
以上説明したアンテナスイッチモジュール１００Ａは、従来のように広帯域に亘る周波数帯域の４つの通信システムＧＳＭ８５０，ＧＳＭ９００，ＤＣＳ，ＰＣＳの信号を共通のアンテナで送信および受信するのではなく、低周波数帯域側の通信システムＧＳＭ８５０，ＧＳＭ９００の信号は低周波数帯域用のアンテナを用いて送信および受信し、高周波数帯域側の通信システムＤＣＳ，ＰＣＳの信号は高周波数帯域用のアンテナを用いて送信および受信することができる。これにより、従来のように１つのアンテナを用いていた場合に発生していた、アンテナにおける損失を低減して低電力化を図ることができるとともに、高周波数帯域側の信号と低周波数帯域側の信号とのアイソレーションを向上させることが可能である。
【００６３】
また、上記アンテナスイッチモジュール１００Ａは、低周波数帯域用のアンテナを用いて受信した信号と高周波数帯域用のアンテナを用いて受信した信号とを、第１の混合／分波回路１０２で混合して、第１のＲＦコネクタ接続端子ＲＦＣ１から出力し、この第１のＲＦコネクタＲＦＣ１に接続されるＲＦコネクタを介して、再び、第２のＲＦコネクタ接続端子ＲＦＣ２から第２の混合／分波回路１０４に入力し、第２の混合／分波回路１０４で、高い周波数の受信信号と、低い周波数の受信信号とに分波することができる。
【００６４】
また、送受信スイッチ回路１０６から出力される低い周波数の送信信号と、送受信スイッチ回路１０８から出力される高い周波数の送信信号とを、第２の混合／分波回路１０４で混合して、第２のＲＦコネクタ接続端子ＲＦＣ２から一旦出力し、この第２のＲＦコネクタＲＦＣ２に接続されるＲＦコネクタを介して、再び、第１のＲＦコネクタ接続端子ＲＦＣ１から第１の混合／分波回路１０２に入力し、第１の混合／分波回路１０２で、高い周波数の送信信号と、低い周波数の送信信号とに分波することができる。
【００６５】
従って、上記アンテナスイッチモジュール１００Ａは、２つのアンテナを用いる構成であるにも関わらず、１つのＲＦコネクタを用いるのみの構成とすることができるので、ＲＦコネクタのための実装スペースの増大を抑制しつつ、２つのアンテナを用いることが可能なアンテナスイッチモジュールを提供することができる。
【００６６】
また、上記アンテナスイッチモジュール１００Ａは、第１の混合／分波回路１０２を有しない従来のアンテナスイッチモジュールの場合に比べて、低い周波数信号（ＧＳＭ８００，ＧＳＭ９００の信号）に対して、ローパスフィルタ１０２ａが追加されている構成となるので、低い周波数信号におけるノイズの低減の点で有利である。
【００６７】
なお、上記アンテナスイッチモジュール１００Ａは、２つのアンテナを用いる場合を例に説明したが、３以上のアンテナを用いることも可能である。ただし、この場合には、第１の混合／分波回路および第２の混合／分波回路として、３以上の異なる周波数帯域の信号を１つの信号に混合し、混合された信号を３以上の異なる周波数帯域の信号に分波する構成の混合／分波回路を用いることになる。
【００６８】
また、上記アンテナスイッチモジュール１００Ａは、２つのＳＡＷフィルタを用いて分波回路を構成する場合を例に説明したが、通信システムの数に対応して、３つ以上も受けるようにしてもよい。
【００６９】
図３は図２に示す積層体９４の裏層（端子面）における端子の配置の一例を示した説明図である。
【００７０】
図３において、端子面の周辺部には端子番号（１）〜（２２）の各端子が配置されており、端子面の中心には端子番号（２３），（２４）の２つの大きな端子が配置されている。
【００７１】
端子番号（１）〜（８）は受信信号出力端子であり、端子番号（１），（２）は１対のＧＳＭ８５０の受信信号出力端子ＲＸ＿１／ＧＳＭ８５０（ＲＸ＿１（１）／ＧＳＭ８５０，ＲＸ＿１（２）／ＧＳＭ８５０）に、端子番号（３），（４）は１対のＧＳＭ９００の受信信号出力端子ＲＸ＿２／ＧＳＭ９００（ＲＸ＿２（１）／ＧＳＭ９００，ＲＸ＿２（２）／ＧＳＭ９００）に、端子番号（５），（６）は１対のＤＣＳの受信信号出力端子ＲＸ＿３／ＤＣＳ（ＲＸ＿３（１）／ＤＣＳ，ＲＸ＿３（２）／ＤＣＳ）に、端子番号（７），（８）は１対のＰＣＳの受信信号出力端子ＲＸ＿４／ＰＣＳ（ＲＸ＿４（１）／ＰＣＳ，ＲＸ＿４（２）／ＰＣＳ）に割り当てられている。端子番号（１０），（１１）はアンテナ端子であり、端子番号（１０）は低周波数帯域用のアンテナ端子ＡＮＴ／Ｌｏに、端子番号（１１）は高周波数帯域用のアンテナ端子ＡＮＴ／Ｈｉに割り当てられている。端子番号（１２），（１３）はＲＦコネクタ接続端子であり、端子番号（１２）は第１のＲＦコネクタ接続端子ＲＦＣ１に、端子番号（１３）は第２のＲＦコネクタ接続端子に割り当てられている。端子番号（１５），（１７）は、送信信号入力端子であり、端子番号（１５）は高周波数帯域側の信号（ＤＣＳ，ＰＣＳの信号）の送信信号入力端子ＴＸ＿２／ＤＣＳ／ＰＣＳに、端子番号（１７）は低周波数帯域側の信号（ＧＳＭ８５０，ＧＳＭ９００の信号）の送信信号入力端子ＴＸ＿１／ＧＳＭ８５０／ＧＳＭ９００に割り当てられている。端子番号（１８），（１９）はコントロール端子であり、端子番号（１８）は低周波数帯域用の送受信スイッチ回路１０６のコントロール端子ＶＣ１に、端子番号（１９）は高周波数帯域用の送受信スイッチ回路１０８のコントロール端子ＶＣ２に割り当てられている。端子番号（９），（１４），（１６），（２０）〜（２４）はグランド（ＧＮＤ）端子に割り当てられている。なお、以下では、信号端子ごとに特に区別する必要が無い場合には、ＲＦコネクタ接続端子は「ＲＦコネクタ接続端子ＲＦＣ」と表し、受信信号出力端子は「受信信号出力端子ＲＸ」と表し、送信信号入力端子は「送信信号入力端子ＴＸ」と表し、アンテナ端子は「アンテナ端子ＡＮＴ」と表し、コントロール端子は「コントロール端子ＶＣ」と表すこととする。
【００７２】
ここで、上記した端子配置には以下で説明する特徴が有り、それらの特徴によって以下で説明する効果がある。
【００７３】
端子番号（１２），（１３）の２つのＲＦコネクタ接続端子ＲＦＣ同士は隣接配置されている。なお、この「隣接配置」は、端子面のコーナ部を挟んで隣り合っている配置も含むものとする。２つのＲＦコネクタ接続端子ＲＦＣは、いずれもＲＦコネクタに接続される端子であるので、実施例のように、隣接配置されていれば、ＲＦコネクタの実装や配線レイアウトに都合が良い。なお、２つのＲＦコネクタ接続端子ＲＦＣは、グランド端子を間に挟んで配置されるようにしてもよい。このようにすれば、２つの端子間における信号漏れを抑制することができる。また、２つのＲＦコネクタ接続端子ＲＦＣの間に配置するＧＮＤ端子の数は１つに限定されるものではなく、２つ以上のＧＮＤ端子を２つのＲＦコネクタ接続端子ＲＦＣの間に配置するようにしてもよい。すなわち、２つのＲＦコネクタ接続端子ＲＦＣ同士は、隣接して配置されるか、１つ以上のＧＮＤ端子を間に挟んで配置されるようにすればよい。
【００７４】
端子番号（１０），（１１）の２つのアンテナ端子ＡＮＴ同士は、隣接配置されている。２つのアンテナは、省スペース化や実装および配線レイアウトの面から、通常、アンテナスイッチモジュールに対して同一方向にまとまって実装配置されることが好ましい。従って、実施例のように、２つのアンテナ端子ＡＮＴ同士が隣接配置されていれば、アンテナの配置および配線レイアウトに都合が良い。なお、２つのアンテナ端子ＡＮＴを、ＧＮＤ端子を挟んで隣り合うように配置してもよく、この場合には、アンテナ端子ＡＮＴ同士のアイソレーション効果をより高めることができ、アンテナ端子ＡＮＴ間における信号漏れの影響を抑制することができる。なお、アンテナ端子ＡＮＴの間に配置するＧＮＤ端子の数は１つに限定されるものではなく、２つ以上のＧＮＤ端子をアンテナ端子ＡＮＴの間に配置するようにしてもよい。すなわち、アンテナ端子ＡＮＴは、隣接して配置されるか、１つ以上のＧＮＤ端子を間に挟んで配置されるようにすればよい。
【００７５】
端子番号（１１）のアンテナ端子ＡＮＴと端子番号（１２）のコネクタ接続端子ＲＦＣとは隣接配置されている。端子番号（１１）のアンテナ端子ＡＮＴ／Ｈｉと端子番号（１１）のＲＦコネクタＲＦＣ１は第１の混合／分波回路１０２に接続される端子であるので、実施例のように、アンテナ端子ＡＮＴとＲＦコネクタ接続端子ＲＦＣとを隣接配置すれば、レイアウト上都合がよい。なお、アンテナ端子ＡＮＴとＲＦコネクタ接続端子ＲＦＣとを、ＧＮＤ端子を挟んで隣り合うように配置してもよく、この場合には、アンテナ端子ＡＮＴとＲＦコネクタ接続端子ＲＦＣとの間のアイソレーション効果をより高めることができ、アンテナ端子ＡＮＴとＲＦコネクタ接続端子ＲＦＣとの間における信号漏れの影響を抑制することができる。また、アンテナ端子ＡＮＴとＲＦコネクタ接続端子ＲＦＣとの間に配置するＧＮＤ端子の数は１つに限定されるものではなく、２つ以上のＧＮＤ端子をアンテナ端子ＡＮＴとＲＦコネクタ接続端子ＲＦＣとの間に配置するようにしてもよい。すなわち、アンテナ端子ＡＮＴとＲＦコネクタ接続端子ＲＦＣとは、隣接して配置されるか、１つ以上のＧＮＤ端子を間に挟んで配置されるようにすればよい。
【００７６】
端子番号（１）〜（８）の受信信号出力端子ＲＸは、全て隣接配置されている。受信信号出力端子ＲＸが接続される受信回路を構成する部品は、省スペース化や実装および配線レイアウトの面から、通常、アンテナスイッチモジュールに対して同一方向にまとまって実装配置されることが好ましい。従って、実施例のように、受信信号出力端子ＲＸの全てが隣接配置されていれば、アンテナスイッチモジュールに接続される部品の配置および両者間を接続する配線のレイアウトに都合が良い。
【００７７】
また、受信信号出力端子ＲＸに送信信号入力端子やアンテナ端子、コントロール端子等の異なる種類の端子が隣接配置されると、互いの端子を伝送する信号間に信号漏れが発生し、悪影響を及ぼす可能性がある。しかしながら、実施例のように、全ての受信信号出力端子ＲＸが隣接配置されていれば、異なる種類の信号漏れが発生して、受信信号に対して影響を及ぼし、あるいは、受信信号が異なる種類の信号に対して影響を及ぼすことを抑制することが可能となる。
【００７８】
なお、受信信号出力端子ＲＸ同士における信号漏れは、それぞれの信号に対して設けられるフィルタで除去可能であり、その影響は比較的小さくなるため、基本的には、受信信号出力端子ＲＸの間にＧＮＤ端子を配置する必要性は低い。しかしながら、信号漏れが発生しないわけでは無いので、受信信号出力端子ＲＸの間にＧＮＤ端子を配置して、受信信号出力端子ＲＸ間における信号漏れを抑制するようにしてもよい。なお、受信信号出力端子ＲＸの間に配置するＧＮＤ端子の数は１つに限定されるものではなく、２つ以上のＧＮＤ端子を受信信号出力端子ＲＸの間に配置するようにしてもよい。
【００７９】
以上説明したように、受信信号出力端子ＲＸは、隣接して配置されるか、１つ以上のＧＮＤ端子を間に挟んで配置されるようにすればよい。
【００８０】
また、並んで配置されている受信信号出力端子ＲＸのうち端に配置されている端子番号（１），（８）の受信信号出力端子ＲＸのように、端子番号（２０），（９）のＧＮＤ端子が隣接配置されていれば、異なる種類の端子から受信信号出力端子ＲＸへの信号漏れを抑制し、あるいは、受信信号出力端子ＲＸから異なる種類の端子への信号漏れを抑制することが可能となる。
【００８１】
特に、端子番号（８）の受信信号出力端子ＲＸと端子番号（１０）のアンテナ端子ＡＮＴとの間に端子番号（９）のＧＮＤ端子が配置されていることにより、アンテナ端子ＡＮＴと受信信号出力端子ＲＸとの間の信号漏れを抑制することができる。なお、アンテナ端子ＡＮＴと受信信号出力端子ＲＸとの間に配置するＧＮＤ端子の数は１つに限定されるものではなく、２つ以上のＧＮＤ端子をアンテナ端子ＡＮＴと受信信号出力端子ＲＸとの間に配置するようにしてもよい。すなわち、アンテナ端子ＡＮＴと受信信号出力端子ＲＸとは、１つ以上のＧＮＤ端子を間に挟んで配置されるようにすればよい。
【００８２】
端子番号（１５），（１７）の２つの送信信号入力端子ＴＸは、端子番号（１６）のＧＮＤ端子を挟んで隣り合うように配置されている。送信信号入力端子ＴＸが接続される送信回路を構成する部品は、省スペース化や実装および配線レイアウトの面から、通常、アンテナスイッチモジュールに対して同一方向にまとまって実装配置されることが好ましい。従って、実施例のように、送信信号入力端子ＴＸの全てが隣り合うように配置されているほうが、アンテナスイッチモジュールに接続される部品の配置および両者間を接続する配線のレイアウトに都合が良い。また、２つの送信信号入力端子ＴＸの間に、１つ以上のＧＮＤ端子を配置するようにすれば、送信信号入力端子ＴＸ間における信号漏れを抑制することができる。すなわち、送信信号入力端子ＴＸは、隣接して配置されるか、１つ以上のＧＮＤ端子を間に挟んで配置されるようにすればよい。
【００８３】
また、送信信号の有する出力の大きさを考慮すると、他の端子への信号漏れの影響が大きく発生し、その端子を伝送する信号に対して影響を及ぼす可能性が高い。しかしながら、実施例のように、２つの送信信号入力端子ＴＸが隣接配置あるいはＧＮＤ端子を間に挟んで配置されていれば、異なる種類の信号端子が２つの送信信号入力端子ＴＸに挟まれていないので、送信信号の信号漏れによる影響を抑制することが可能となる。
【００８４】
例えば、端子番号（１５）の送信信号入力端子ＴＸと端子番号（１３）のコネクタ接続端子ＲＦＣとは、端子番号（１４）のＧＮＤ端子を挟んで隣り合うように配置されている。このようにすれば、送信信号入力端子ＴＸとＲＦコネクタ接続端子ＲＦＣとの間の信号漏れによる影響を抑制することができる。なお、ＧＮＤ端子の数は１つに限定されるものではなく、２つ以上のＧＮＤ端子を配置するようにしてもよい。
【００８５】
また、本実施例の端子配置では送信信号入力端子ＴＸと受信信号出力端子ＲＸとが隣り合うように配置される状態や、送信信号入力端子ＴＸとアンテナ端子ＡＮＴとが隣り合うように配置される状態、受信信号出力端子ＲＸとＲＦコネクタ接続端子ＲＦＣとが隣り合うように配置される状態は存在していないが、仮に、受信信号出力端子ＲＸと送信信号入力端子ＴＸとを隣り合うように配置する場合や、送信信号入力端子ＴＸとアンテナ端子ＡＮＴとを隣り合うように配置する場合、受信信号出力端子ＲＸとＲＦコネクタ接続端子ＲＦＣとを隣り合うように配置する場合には、上記受信信号出力端子ＲＸとアンテナ端子ＡＮＴとの間にＧＮＤ端子を配置している場合と同様に、隣接して配置されないように、２つの端子の間に少なくとも１以上のＧＮＤ端子を配置して、端子間における信号漏れによる影響を抑制するようにすることが好ましい。
【００８６】
なお、コントロール端子ＶＣは、送信信号がアンテナから送信される場合に直流電源が印加される端子であるので、送信信号入力端子ＴＸとコントロール端子ＶＣとの間の信号漏れによる影響は小さいと言える。そこで、端子番号（１７）の送信信号入力端子ＴＸと端子番号（１８）のコントロール端子ＶＣのように隣接して配置しても問題は無い。但し、送信信号入力端子ＴＸとコントロール端子ＶＣとの間に１つ以上のＧＮＤ端子を配置するようにしてもよい。
【００８７】
なお、各信号端子同士の間にＧＮＤ端子を配置して、各信号端子同士の間における信号漏れの影響を抑制するようにしてもよい。
【００８８】
図４は１０層の導体層で構成される多層基板９２の第８層を示す説明図であり、図５は１０層の導体層で構成される多層基板９２の第７層を示す説明図であり、図６は１０層の導体層で構成される多層基板９２の第６層を示す説明図であり、図７は１０層の導体層で構成される多層基板９２の第３層を示す説明図である。なお、１０層の導体層は、第０１層として割り当てられる裏層（端子面）と、第１層として割り当てられる裏層の反体層と、第９層として割り当てられる表層（実装面）と、第１層と第９層との間に、絶縁層を挟んで構成される第２層〜第８層の７層の導体層と、で構成されている。
【００８９】
図１の第１の混合／分波回路１０２に含まれるハイパスフィルタ１０２ｂと、第２の混合／分波回路１０４に含まれるハイパスフィルタ１０４ｂとは、同じ形状の導体層（導体パターン）を有している。第１の混合／分波回路１０２のハイパスフィルタ１０２ｂは３つのコンデンサ１０２ｄ〜１０２ｆにより構成されており、第２の混合／分波回路１０４のハイパスフィルタ１０４ｂはハイパスフィルタ１０２ｂの３つのコンデンサ１０２ｄ〜１０２ｆにそれぞれ対応する３つのコンデンサ１０４ｄ〜１０４ｆを有している。
【００９０】
ハイパスフィルタ１０２ｂのコンデンサ１０２ｄ〜１０２ｆを構成する電極ＴＡ１，ＴＢ１，ＴＣ１，ＴＤ１のうち、コンデンサ１０２ｄの電極ＴＡ１は第６層（図６）に設けられ、コンデンサ１０２ｄ，１０２ｅの電極ＴＢ１は第７層（図５）に設けられ、コンデンサ１０２ｅの電極ＴＣ１は第８層（図４）に設けられ、コンデンサ１０２ｆの電極ＴＤ１は第３層（図７）に設けられている。
【００９１】
一方、ハイパスフィルタ１０２ｂのコンデンサ１０２ｄ〜１０２ｆにそれぞれ対応するハイパスフィルタ１０４ｂのコンデンサ１０４ｄ〜１０４ｆを構成する電極ＴＡ２，ＴＢ２，ＴＣ２，ＴＤ２のうち、コンデンサ１０４ｄの電極ＴＡ２は対応するコンデンサ１０２ｄの電極ＴＡ１と同じ第６層に設けられ、コンデンサ１０４ｄおよびコンデンサ１０４ｅの電極ＴＢ２もコンデンサ１０２ｄおよびコンデンサ１０２ｅの対応する電極ＴＢ１と同じ第７層に設けられ、コンデンサ１０４ｄの電極ＴＣ２もコンデンサ１０２ｅの対応する電極ＴＣ１と同じ第８層に設けられ、コンデンサ１０４ｆの電極ＴＤ２もコンデンサ１０２ｆの対応する電極ＴＤ１と同じ第３層に設けられている。
【００９２】
以上のように、第１の混合／分波回路１０２のハイパスフィルタ１０２ｂを構成する３つのコンデンサ１０２ｄ〜１０２ｆの電極と、第２の混合／分波回路１０４のハイパスフィルタ１０４ｂを構成する３つのコンデンサ１０４ｄ〜１０４ｆの電極とを、それぞれ対応する電極同士で同じ層に設けるようにすることにより、各コンデンサの電極層を設けるための導体層をそれぞれ別途用意する場合に比べて多層基板の導体層の数を低減することができるので、多層基板の厚さを抑制することが可能となる。
【００９３】
なお、上記実施例では、第１の混合／分波回路１０２のハイパスフィルタ１０２ｂを構成する３つのコンデンサ１０２ｄ〜１０２ｆの電極と、第２の混合／分波回路１０４のハイパスフィルタ１０４ｂを構成する３つのコンデンサ１０４ｄ〜１０４ｆの電極とを、それぞれ対応する電極同士で同じ層に設けるようにしたが、これに限定されるものではなく、対応する電極同士ではなく、異なった電極同士を同じ層に設けるようにしてもよい。また、対応する電極同士の全てを同じ層に設けるのではなく、一部の電極同士を同じ層に設けるようにしてもよい。要するに、コンデンサを構成する電極を設ける層を共用化して、多層基板の総数を低減することができればよい。
【００９４】
Ｂ．第２実施例：
図８は本発明の第２の実施例としてのアンテナスイッチモジュールの回路図である。
【００９５】
本実施例のアンテナスイッチモジュール１００Ｂが、図１に示した第１の実施例におけるアンテナスイッチモジュール１００Ａと、構成上異なる点は、図８に示すように、第１の混合／分波回路１０２の代わりに、半導体スイッチ１０２Ｂ（第１の切り換え回路）を設けた点である。なお、その他の構成要素については、図１に示した第１の実施例と同様であるので、それらの説明は省略する。
【００９６】
本実施例においても、第１実施例のアンテナスイッチモジュール１００Ａと同様に、２つのアンテナを用いる構成であるにも関わらず、１つのＲＦコネクタを用いるのみの構成とすることができるので、ＲＦコネクタのための実装スペースの増大を抑制しつつ、２つのアンテナを用いることが可能なアンテナスイッチモジュールを提供することができる。
【００９７】
なお、本実施例では、第１の混合／分波回路１０２の代わりに半導体スイッチ１０２Ｂを設けた場合を例に説明したが、送受信スイッチ回路１０６，１０８と同様のダイオードスイッチ回路を設けるようにしてもよい。
【００９８】
Ｃ．変形例：
なお、本発明は上記した実施例や実施形態に限られるものではなく、その要旨を逸脱しない範囲において種々の態様にて実施することが可能である。
【００９９】
上記した実施例においては、アンテナスイッチモジュールは、携帯電話に搭載されるものとして説明したが、本発明はこれに限定されるものではなく、他の通信装置に搭載するようにしてもよい。
【図面の簡単な説明】
【０１００】
【図１】本発明の第１の実施例としてのアンテナスイッチモジュールの回路図である。
【図２】図１のアンテナスイッチモジュールの外観を示す斜視図である。
【図３】図２に示す積層体９４の裏層（端子面）における端子の配置の一例を示した説明図である。
【図４】１０層の導体層で構成される多層基板９２の第８層を示す説明図である。
【図５】１０層の導体層で構成される多層基板９２の第７層を示す説明図である。
【図６】１０層の導体層で構成される多層基板９２の第６層を示す説明図である。
【図７】１０層の導体層で構成される多層基板９２の第３層を示す説明図である。
【図８】本発明の第２の実施例としてのアンテナスイッチモジュールの回路図である。
【符号の説明】
【０１０１】
９２…多層基板
９４…積層体
９６…チップ部品
９８…金属キャップ
１００Ａ…アンテナスイッチモジュール
１００Ｂ…アンテナスイッチモジュール
１０２…第１の混合／分波回路
１０２ａ…ローバスフィルタ
１０２ｂ…ハイパスフィルタ
１０２ｃ…分岐点
１０２ｄ〜１０２ｆ…コンデンサ
１０２Ｂ…半導体スイッチ
１０４…第２の混合／分波回路
１０４ａ…ローパスフィルタ
１０４ｂ…ハイパスフィルタ
１０４ｃ…分岐点
１０４ｄ〜１０４ｆ…コンデンサ
１０６…送受信スイッチ回路
１０６ａ，１０６ｂ…ダイオード
１０８…送受信スイッチ回路
１０８ａ，１０８ｂ…ダイオード
１１０…分波回路
１１０ａ…整合回路
１１０ｂ…分岐点
１１０ｃ，１１０ｄ…ＳＡＷフィルタ
１１２…ローパスフィルタ
１１４…分波回路
１１４ａ…整合回路
１１４ｂ…分岐点
１１４ｃ，１１４ｄ…ＳＡＷフィルタ
１１６…ローパスフィルタ
１１０ａ…整合回路
１１４ａ…整合回路
ＡＮＴ／Ｌｏ…アンテナ端子
ＡＮＴ／Ｈｉ…アンテナ端子
ＲＦＣ１…ＲＦコネクタ接続端子
ＲＦＣ２…ＲＦコネクタ接続端子
ＶＣ１、ＶＣ２…コントロール端子
【図１】
2008124790.tif 000004
【図２】
2008124790.tif 000005
【図３】
2008124790.tif 000006
【図４】
2008124790.tif 000007
【図５】
2008124790.tif 000008
【図６】
2008124790.tif 000009
【図７】
2008124790.tif 000010
【図８】
2008124790.tif 000011